(57)【要約】【課題】コストを抑え、かつ加入者数の増加に有効に対応でき、しかも作業が容易となる光配線方法の提供。【解決手段】光配線網１から利用者宅２に光ファイバを配線する光配線方法であって、利用者宅２への引き落とし位置３から光配線網１に至る配線管４を架空設置し、この配線管４内に、光ファイバケーブル１０を引き落とし位置３から前記光配線網１まで配線する第１工程と、引き落とし位置３の光ファイバケーブル１０から利用者宅２に至る光配線を構築する第２工程とを含む光配線方法。【選択図】図１
2011059607.tif 000002
【特許請求の範囲】
【請求項１】
光配線網から利用者宅に光ファイバを配線する光配線方法であって、
前記利用者宅への引き落とし位置から前記光配線網に至る配線管を架空設置し、この配線管内に、光ファイバケーブルを前記引き落とし位置から前記光配線網まで配線する第１工程と、
前記引き落とし位置の光ファイバケーブルから前記利用者宅に至る光配線を構築する第２工程と、を含むことを特徴とする光配線方法。
【請求項２】
前記第２工程において、一端が前記利用者宅に至るドロップケーブルの他端を、前記引き落とし位置において前記光ファイバケーブルに接続することによって、前記引き落とし位置から前記利用者宅までの光配線を構築することを特徴とする請求項１に記載の光配線方法。
【請求項３】
前記配線管は、内部に前記光ファイバケーブルを配線できる内部管体の外周に、前記内部管体の全周を覆う外部被覆が形成され、
前記内部管体に、前記光ファイバケーブルを引き出し可能なスリットが長手方向に沿って形成されていることを特徴とする請求項１または２に記載の光配線方法。
【請求項４】
前記配線管に、前記引き落とし位置において光配線が引き落とされる部分を覆う収容ケースを設置することを特徴とする請求項１〜３のうちいずれか１項に記載の光配線方法。
【請求項５】
前記ドロップケーブルの、前記光ファイバケーブルへの接続はコネクタ接続であることを特徴とする請求項２に記載の光配線方法。
【請求項６】
前記第２工程において、前記配線管から前記引き落とし位置にて引き出した光ファイバケーブルを前記利用者宅に配線することによって、前記引き落とし位置から前記利用者宅までの光配線を構築することを特徴とする請求項１に記載の光配線方法。
【請求項７】
光配線網から利用者宅に光ファイバを配線する光配線システムであって、
前記利用者宅への引き落とし位置から前記光配線網に至る配線管が架空設置され、
この配線管内に、光ファイバケーブルが前記引き落とし位置から前記光配線網まで配線され、
前記引き落とし位置の光ファイバケーブルから前記利用者宅に至る光配線が構築されていることを特徴とする光配線システム。
【発明の詳細な説明】
【技術分野】
【０００１】
本発明は、光配線網における利用者（加入者）宅への光回線の引き落としを行う光配線方法および光配線システムに関する。
【背景技術】
【０００２】
光配線網における利用者宅への光回線の引き落としに関する技術としては、例えば特許文献１〜５に示すものがある。
特許文献１には、単心の要素ケーブルを複数集合させた集合ケーブルを用い、引き落とし箇所で要素ケーブルをドロップケーブルに分岐接続する配線システムが開示されている。
特許文献２には、光ケーブルの分岐・接続部に使用される光ケーブル接続管が開示されている。
特許文献３には、架空配線網の引き落とし箇所付近に一端を固定した線条体の他端側に、輪状に束ねたドロップケーブルをくぐらせ、このドロップケーブルを引き落とし箇所に向けて繰り出すことによってこのドロップケーブルの配線を行う方法が開示されている。
特許文献４には、引き落とし用のモールド部を有する光ファイバケーブルが開示されている。外部のドロップケーブルは前記モールド部において前記光ファイバケーブルに分岐接続される。
特許文献５には、予めコネクタが取り付けられたドロップケーブルを中心の支持線の周囲に集合して構成した光ケーブルからドロップケーブルを引き出すことで分岐を行う技術が開示されている。
【先行技術文献】
【特許文献】
【０００３】
【特許文献１】特開２００８−２２４９９０号公報
【特許文献２】特許第３５６４７０２号公報
【特許文献３】特開２００２−１４２３１９号公報
【特許文献４】特開２００８−１２９１６９号公報
【特許文献５】特開２００１−２１５３７５号公報
【発明の概要】
【発明が解決しようとする課題】
【０００４】
特許文献１に記載の技術では、加入者数の増加を予測してそれに応じた数の要素ケーブルを用意しておく必要があるが、加入者数が予測を外れた場合には一部の要素ケーブルが使われないままとなり、コスト抑制の観点で問題があった。また、引き落とし箇所より先の部分の要素ケーブルは使用されず、この点でもコスト面の不利が生じていた。
特許文献２に記載の技術においても、コストを抑えつつ加入者数の増加に対応するのは難しかった。
特許文献３に記載の技術では、ドロップケーブルがスパイラル状に布設されるため、直線的な配線に比べて長さが必要となり、コストの点で改善が必要であった。また、線条体を引き落とし箇所付近に固定した後、これにドロップケーブルをくぐらせ、引き落とし箇所まで延ばすことが必要となるため、少なくとも２回は高所作業が必要となり、布設作業は容易とはいえなかった。
特許文献４に記載の技術においても、コストを抑えつつ加入者数の増加に対応するのは難しかった。
特許文献５に記載の技術においても、特許文献１に記載の技術と同様に、コスト抑制の観点で問題があった。
本発明は、前記事情に鑑みてなされたもので、コストを抑え、かつ加入者数の増加に有効に対応でき、しかも作業が容易となる光配線方法および光配線システムの提供を目的としている。
【課題を解決するための手段】
【０００５】
本発明の請求項１に係る発明は、光配線網から利用者宅に光ファイバを配線する光配線方法であって、前記利用者宅への引き落とし位置から前記光配線網に至る配線管を架空設置し、この配線管内に、光ファイバケーブルを前記引き落とし位置から前記光配線網まで配線する第１工程と、前記引き落とし位置の光ファイバケーブルから前記利用者宅に至る光配線を構築する第２工程と、を含む光配線方法である。
本発明の請求項２に係る発明は、請求項１において、前記第２工程において、一端が前記利用者宅に至るドロップケーブルの他端を、前記引き落とし位置において前記光ファイバケーブルに接続することによって、前記引き落とし位置から前記利用者宅までの光配線を構築する光配線方法である。
本発明の請求項３に係る発明は、請求項１または２において、前記配線管は、内部に前記光ファイバケーブルを配線できる内部管体の外周に、前記内部管体の全周を覆う外部被覆が形成され、前記内部管体に、前記光ファイバケーブルを引き出し可能なスリットが長手方向に沿って形成されている光配線方法である。
本発明の請求項４に係る発明は、請求項１〜３のうちいずれか１項において、前記配線管に、前記引き落とし位置において光配線が引き落とされる部分を覆う収容ケースを設置する光配線方法である。
本発明の請求項５に係る発明は、請求項２において、前記ドロップケーブルの、前記光ファイバケーブルへの接続はコネクタ接続である光配線方法である。
本発明の請求項６に係る発明は、請求項１において、前記第２工程において、前記配線管から前記引き落とし位置にて引き出した光ファイバケーブルを前記利用者宅に配線することによって、前記引き落とし位置から前記利用者宅までの光配線を構築する光配線方法である。
【０００６】
本発明の請求項７に係る光配線システムは、光配線網から利用者宅に光ファイバを配線する光配線システムであって、前記利用者宅への引き落とし位置から前記光配線網に至る配線管が架空設置され、この配線管内に、光ファイバケーブルが前記引き落とし位置から前記光配線網まで配線され、前記引き落とし位置の光ファイバケーブルから前記利用者宅に至る光配線が構築されている光配線システムである。
【発明の効果】
【０００７】
本発明によれば、第１工程（事前工事）によって引き落とし位置から光配線網までの光配線を構築するため、最終段階である第２工程（開通工事）では引き落とし位置から利用者宅までの短い距離の光配線のみを構築すればよい。
第２工程（開通工事）では利用者の承諾が必要となるため制約が多いが、本発明では、光配線網から利用者宅までの全範囲に一度に光配線を構築する場合に比べて配線が必要な距離が短いため、作業は容易となる。
また、加入者（利用者）の増加に対応して、光ファイバケーブルを、当該利用者宅に近い引き落とし位置から光配線網までの範囲、すなわち利用者宅への光配線の構築に必要な範囲にのみ設けることができるため、無駄が生じず、コストの点で有利となる。
従って、コストを抑え、かつ加入者数の増加に有効に対応することができる。
【図面の簡単な説明】
【０００８】
【図１】本発明の光配線システムの第１の例を示す模式図である。
【図２】光配線システムの要部を拡大した模式図である。
【図３】光配線システムの配線管を示す正面図である。
【図４】収容ケースの内部構造を示す斜視図である。
【図５】光ファイバケーブルの一例を示す断面図である。
【図６】光ファイバケーブルの他の例を示す断面図である。
【図７】光コネクタの一例を示す正面図である。
【図８】本発明の光配線システムの第２の例を示す模式図である。
【図９】本発明の光配線システムの第３の例を示す模式図である。
【図１０】本発明の光配線システムの第４の例を示す模式図である。
【発明を実施するための形態】
【０００９】
以下、本発明の光配線システムの第１の例について、図面を参照して説明する。
図１は本発明の光配線システムの第１の例を示す模式図である。図２は光配線システムの要部を拡大した図である。図３は光配線システムの配線管を示す正面図である。図４は収容ケースの内部構造を示す斜視図である。図５は、光ファイバケーブル１０の一例を示す断面図である。図６は、光ファイバケーブル１０の他の例を示す断面図である。図７は、光ファイバケーブル１０およびドロップケーブル１６に採用できる光コネクタの一例を示す正面図である。
【００１０】
図１に示す光配線システムは、光配線網１（局側光ファイバケーブル）から利用者宅２に光ファイバを配線するシステムである。
この光配線システムでは、利用者宅２への引き落とし位置３から光配線網１に至る配線管４が架空設置されている。
引き落とし位置３は、利用者宅２に近接し、ドロップケーブル１６の配線を容易に行うことができる位置とされる。
【００１１】
光配線網１は、架空設置されたクロージャ６において光分岐器７に接続されており、光分岐器７の分岐側光ファイバ８は光コネクタ８ａによってコネクタ成端されている。
【００１２】
図１〜図３に示すように、配線管４は、内部管体１１の外周に、内部管体１１の全周を覆う外部被覆１２が形成された構成とすることができる。
図３に示すように、内部管体１１は、１または複数の光ファイバケーブル１０を配線できる内部空間を有する。
内部管体１１には、光ファイバケーブル１０を外部に引き出し可能なスリット１１ａが長さ方向にわたって形成されている。内部管体１１は例えば断面Ｃ字形であってよい。スリット１１ａの幅は、光ファイバケーブル１０を外部に引き出し可能となるよう定められる。
外部被覆１２は、樹脂などからなる被覆であってよい。
【００１３】
図示例の配線管４は、所定長さにわたって外部被覆１２が除去され、これによって内部管体１１が露出し、露出部分のスリット１１ａを通して光ファイバケーブル１０が引き出されている。
この部分のスリット１１ａは、光ファイバケーブル１０が引き出される引き出し口１１ｂとなっている。引き出し口１１ｂは、光ファイバケーブル１０が引き出される箇所であるから、光配線が引き落とされる部分である。
【００１４】
図１に示すように、光ファイバケーブル１０は、引き落とし位置３からクロージャ６までの範囲で配線管４内に配線される。
引き落とし位置３が複数ある場合には、光ファイバケーブル１０は、少なくともクロージャ６から最も遠い引き落とし位置３まで配線される。
図１および図２に示す例では、クロージャ６からの距離が異なる２つの引き落とし位置３Ａ、３Ｂがあり、各引き落とし位置３Ａ、３Ｂに達する２本の光ファイバケーブル１０Ａ、１０Ｂが用いられている。
この例では、各引き落とし位置３Ａ、３Ｂに達する複数本の光ファイバケーブル１０を用いているが、多心の光ファイバケーブル１０を用いる場合には、この光ファイバケーブル１０を第２の引き落とし位置３Ｂまで配線し、第１の引き落とし位置３Ａでは光ファイバケーブル１０を分岐し、分岐配線を引き落としてもよい。
【００１５】
光ファイバケーブル１０としては、例えば図５または図６に示すものを採用できる。
図５に示す例の光ファイバケーブル１０は、支持線部２１とケーブル本体部２２が首部２３を介して連結されている自己支持構造を有する。
ケーブル本体部２２は、光ファイバ２４とその両側に配置した抗張力体２５とを被覆樹脂２６で一括被覆したものである。
光ファイバ２４は、単心の光ファイバ心線、多心の光ファイバテープ心線などであって良い。光ファイバ２４の本数は１本でも複数本でもよい。
抗張力体２５は、光ファイバ２４に沿って縦添えされた線条体であり、鋼線等の金属線等が使用できる。
支持線部２１は、抗張力体２８が被覆樹脂２９で被覆されたものである。抗張力体２８には鋼線などの金属線が好適である。被覆樹脂２９は、被覆樹脂２６と同じ材料で構成できる。
首部２３は、被覆樹脂２６、２９と同じ樹脂で構成でき、被覆樹脂２６、２９と一体に形成することができる。
図６に示す例の光ファイバケーブル１０は、支持線部２１を備えておらず、ケーブル本体部２２のみからなること以外は、図５に示す光ファイバケーブル１０と同様の構成である。
図５および図６に示す構造の光ファイバケーブル１０は、ドロップケーブル１６としても使用できる。
【００１６】
図１に示すように、光ファイバケーブル１０の一端はクロージャ６に導入されている。光ファイバケーブル１０は、一端に設けられた光コネクタ１０ａを光コネクタ８ａに接続することによって、光分岐器７を介して光配線網１に接続される。
【００１７】
図２および図４に示すように、配線管４には、引き落とし位置３において収容ケース１３が設置されている。
収容ケース１３は、引き出し口１１ｂを含む部分の配線管４を覆うように形成されている。
図４に示すように、図示例の収容ケース１３は、一端部および他端部にそれぞれ配線管４を挿通する挿通口１３ａ、１３ｂが形成された略台形状のケース体である。
収容ケース１３は、それぞれトレイ状の第１ケース半体１４Ａと第２ケース半体１４Ｂとからなり、これらを向かい合わせて結合することにより組み立てることができる。
【００１８】
第１ケース半体１４Ａには、配線管４から引き出された光ファイバケーブル１０の他端に設けられた光コネクタ１０ｂ（光コネクタプラグ）が挿入される光コネクタ１５（光コネクタアダプタ）が設けられている。
光コネクタアダプタ１５は、一方の開口に光コネクタプラグ１０ｂが挿入される。光コネクタアダプタ１５には、ドロップケーブル１６の端部に設けられた光コネクタ１６ａ（光コネクタプラグ）が他方の開口に挿入されることによって、光コネクタプラグ１０ｂと光コネクタプラグ１６ａが互いに接続される。
【００１９】
図示例では、光コネクタアダプタ１５は、光コネクタ１０ｂ、１６ａの光軸方向が光ファイバケーブル１０にほぼ平行となるよう設けられており、ドロップケーブル１６は、収容ケース１３内において、光ファイバケーブル１０にほぼ平行に配置されている。
光コネクタ８ａ、１０ａ、１０ｂ、１５、１６ａとしては、例えばＳＣ形光コネクタ（ＪＩＳ  Ｃ  ５９７３に制定されるＦ０４形光コネクタ。ＳＣ：Single fiber Coupling optical fiber connector）を採用できる。
【００２０】
図７は、光コネクタプラグ１０ｂ、１６ａとして採用できる光コネクタプラグの一例を示すものである。
光ファイバケーブル１０の端部に設ける光コネクタプラグ１０ｂを例として、この光コネクタプラグの構成を説明する。
この光コネクタプラグ１０ｂは、現場組立型の光コネクタであり、コネクタ本体３０と、光ファイバケーブル１０をコネクタ本体３０に引き留める引留機構４０とを備えている。
コネクタ本体３０は、接続機構付きフェルール３３と、接続機構付きフェルール３３を収容するハウジング３４と、ハウジング３４内に設けられた付勢手段３５と、ハウジング３４の外側に装着可能なつまみ３７とを備えている。
ハウジング３４は、接続機構付きフェルール３３を収容するスリーブ状に形成されている。
接続機構付きフェルール３３は、光フェルール３１（以下、単にフェルール３１という）と、フェルール３１の後端側に設けられた接続機構３２とを備えている。
【００２１】
フェルール３１には、光ファイバ導入孔（微細孔）（図示略）が形成され、この光ファイバ導入孔内には、内蔵光ファイバ３６（光ファイバ裸線など）が挿入され固定されている。内蔵光ファイバ３６の先端は、フェルール１の先端面３１ａに露出され、後端はフェルール３１の後端から突出し、接続機構３２内に挿入されている。
接続機構３２は、内蔵光ファイバ３６の後端部を、光ファイバケーブル１０から引き出された光ファイバ１７の先端に突き合わせ接続するものである。符号Ｃ１は光ファイバ３６、１７の接続点である。
コネクタ本体３０としては、例えばＳＣ形光コネクタが使用できる。
引留機構４０は、光ファイバケーブル１０の外被１０ｃを把持する把持部材４１と、把持部材４１を引き留める引留手段４２とを備えている。
【００２２】
図１および図２に示す符号１８は、架線用ハンガとしてのスパイラルハンガである。
配線管４は、架設支持線１９とともにスパイラルハンガ１８内に通されることによって、架設支持線１９に沿ってスパイラルハンガ１８に支持され、これにより架空設置される。
【００２３】
図１および図２に示すように、ドロップケーブル１６は、引き落とし位置３から利用者宅２に至る光配線を構成するものである。
ドロップケーブル１６は、一端が利用者宅２の屋内配線２ａに接続されている。
上述のように、ドロップケーブル１６の他端には光コネクタ１６ａが設けられ、光コネクタ１６ａは収容ケース１３内において光コネクタ１０ａに接続されている。
なお、図２において符号２１はドロップケーブル１６の支持線部である。
【００２４】
次に、上記光配線システムを構築する場合を例として、本発明の光配線方法の一例を説明する。
加入者（利用者）の増加によって、新たに光配線網１から利用者宅２に光ファイバを配線することが必要となった場合には、以下に示す手順に従って光回線を利用者宅２に引き落とすことができる。
【００２５】
（１）事前工事
図１および図２に示すように、引き落とし位置３からクロージャ６に至る配線管４を架空設置する。
次いで、光ファイバケーブル１０を配線管４内に配線する。光ファイバケーブル１０は、引き出し口１１ｂからクロージャ６に向けて挿入するのが好ましい。
光ファイバケーブル１０は配線管４に挿通され、配線管４により支持されるため、直接、スパイラルハンガによって支持される場合とは異なり、脱落が起きることはない。
また、光ファイバケーブル１０は配線管４によって保護されるため、より太い他の光ファイバケーブル（図示略）を同じ経路で設置する場合でも、この光ファイバケーブルによって光ファイバケーブル１０が圧力や損傷を受けることはない。
【００２６】
クロージャ６に達した光ファイバケーブル１０の光コネクタ１０ａを光コネクタ８ａに接続することによって、光ファイバケーブル１０は光分岐器７を介して光配線網１に接続される。
また、図４に示すように、光ファイバケーブル１０の他端側の光コネクタ１０ｂを、収容ケース１３内の光コネクタアダプタ１５に接続する。
【００２７】
配線管４の設置および配線管４内への光ファイバケーブル１０の導入の作業は、利用者の承諾は不要であり、最終段階である開通工事に先だって行うことができるため、事前工事（第１工程）と呼ぶ。
事前工事は、利用者の承諾が不要であるため作業日程や時間帯の調整などが容易となり、効率よく作業を行うことができる。
【００２８】
（２）開通工事
一端が利用者宅２の屋内配線２ａに接続されたドロップケーブル１６の他端を収容ケース１３に導入し、光コネクタ１６ａを、光コネクタアダプタ１５を介して光コネクタ１０ｂに接続する。これによって、引き落とし位置３から利用者宅２までの光配線が構築され、光回線の開通工事（第２工程）が完了する。
この開通工事は、利用者宅２にドロップケーブル１６が接続されるため、最終段階の工事として行われる。開通工事は、利用者の承諾が必要となる関係上、時間的な制約が多い。
【００２９】
上記光配線方法によれば、事前工事によって引き落とし位置３からクロージャ６までの光配線を構築するため、最終段階である開通工事では引き落とし位置３から利用者宅２までの短い距離の光配線のみを構築すればよい。
開通工事では利用者の承諾が必要となるため制約が多いが、上記光配線方法では、クロージャ６から利用者宅２までの全範囲に一度に光配線を構築する場合に比べて配線が必要な距離が短いため、作業は容易となる。
【００３０】
また、加入者（利用者）の増加に対応して、光ファイバケーブル１０を、当該利用者宅２に近い引き落とし位置３からクロージャ６までの範囲、すなわち利用者宅２への光配線の構築に必要な範囲にのみ設けることができるため、無駄が生じず、コストの点で有利となる。
従って、コストを抑え、かつ加入者数の増加に有効に対応することができる。
【００３１】
図４に示すように、第１の例の光配線システムでは、光ファイバケーブル１０とドロップケーブル１６との接続にコネクタ接続が採用されているが、ケーブル１０、１６の接続方式はこれに限らず、メカニカルスプライスによる突き合わせ接続を採用することもできる。
図８は、本発明の光配線システムの第２の例を示すもので、この例では、収容ケース５３内に、メカニカルスプライス５５が設けられている。
メカニカルスプライス５５は、一対の接続素子５６、５６と、その外側に設けられるクランプバネ（図示略）と、これらを保持するホルダ５７とを備えており、接続素子５６、５６の内面において、光ファイバケーブル１０から引き出した光ファイバと、ドロップケーブル１６から引き出した光ファイバとを突き合わせ接続できる。
クランプバネの弾性力によって、これら光ファイバが接続素子５６、５６間に挟み込まれ、その接続状態が維持される。
【００３２】
この例の光配線システムを用いて光回線を利用者宅２に引き落とすには、まず、事前工事において、上述の手順に従って配線管４を架空設置し、配線管４内に光ファイバケーブル１０を配線する。
次いで、開通工事において、光ファイバケーブル１０から引き出した光ファイバと、ドロップケーブル１６から引き出した光ファイバとをメカニカルスプライス５５内で突き合わせ接続することによって、引き落とし位置３から利用者宅２までの光配線が構築される。
この方法においても、コストを抑え、かつ加入者数の増加に有効に対応でき、しかも作業が容易となる。
【００３３】
図９は、本発明の光配線システムの第３の例であり、この例では、配線管４から引き出された光ファイバケーブル１０がそのまま利用者宅２に配線される。
この例では、光ファイバケーブル１０とドロップケーブルとの接続部分がないため、更に作業が容易になる。また、収容ケース６３を小型化でき、省スペース化の点で有利である。
【００３４】
図１０は、本発明の光配線システムの第４の例であり、この例では、図４に示す例と同様に、光ファイバケーブル１０とドロップケーブル１６とが光コネクタアダプタ１５を介してコネクタ接続されるが、光コネクタアダプタ１５は、光コネクタ１０ｂ、１６ａの光軸方向が光ファイバケーブル１０に対しほぼ垂直となるよう設けられている。
このため、ドロップケーブル１６は、収容ケース７３内において、光ファイバケーブル１０にほぼ垂直に配置されている。
【符号の説明】
【００３５】
１・・・光配線網、２・・・利用者宅、３・・・引き落とし位置、４・・・配線管、１０・・・光ファイバケーブル、１０ｂ・・・光コネクタ（光コネクタプラグ）、１１・・・内部管体、１１ａ・・・スリット、１１ｂ・・・引き出し口、１５・・・光コネクタ（光コネクタアダプタ）、１６・・・ドロップケーブル、１６ａ・・・光コネクタ（光コネクタプラグ）。
【図１】
2011059607.tif 000003
【図２】
2011059607.tif 000004
【図３】
2011059607.tif 000005
【図４】
2011059607.tif 000006
【図５】
2011059607.tif 000007
【図６】
2011059607.tif 000008
【図７】
2011059607.tif 000009
【図８】
2011059607.tif 000010
【図９】
2011059607.tif 000011
【図１０】
2011059607.tif 000012